(57)【特許請求の範囲】
【請求項１】
蒸気圧縮式の冷凍サイクル運転を行うことによって、室内空間における顕熱負荷および潜熱負荷を処理する空気調和機（１０）であって、
冷凍サイクルを構成する冷媒回路（１）に流れる冷媒が供給される熱交換器（３，５）と、
空気中の水分を吸着する吸着剤と、
前記熱交換器（３，５）を凝縮器して機能させて前記吸着剤から水分を脱離させる再生動作と、前記熱交換器（３，５）を蒸発器として機能させて前記吸着剤に空気中の水分を吸着させる吸着動作とを、所定のバッチ切換時間が経過するたびに交互に切り換えながら運転を行わせる制御部（８０）と、
を備え、
前記制御部（８０）は、前記顕熱負荷の処理および前記潜熱負荷の処理のうちのいずれか１つの処理を優先させる優先制御運転を行うことができ、前記顕熱負荷の処理を優先させる優先制御運転を行うときには前記バッチ切換時間を通常運転時より長くし、前記潜熱負荷の処理を優先させる優先制御運転を行うときには前記バッチ切換時間を通常運転時より短くする、
空気調和機（１０）。
【請求項２】
前記制御部（８０）は、前記優先制御運転を、起動時から通常運転が開始されるまでに行う、
請求項１に記載の空気調和機（１０）。
【請求項３】
前記室内空間における温度、湿度のうちの少なくとも１つを検知する検知部（３ｂ，４，５ｂ）をさらに備えている、
請求項２に記載の空気調和機（１０）。
【請求項４】
前記制御部（８０）は、前記検知部（３ｂ，４，５ｂ）によって前記室内空間における温度および湿度のうち少なくとも１つが、予め設定された温度あるいは湿度に到達したことを検知すると、前記優先制御運転から前記通常運転へ切り換える、
請求項３に記載の空気調和機（１０）。
【請求項５】
前記優先制御運転を行う時間を制限する時間が設定される時限部（８２）をさらに備えており、
前記制御部（８０）は、前記時限部（８２）に設定された時間に基づいて前記優先制御運転から前記通常運転へ切り換える、
請求項２から４のいずれか１項に記載の空気調和機（１０）。
【請求項６】
前記制御部（８０）は、ユーザによる手動入力があった場合に前記優先制御運転から前記通常運転へ切り換える、
請求項２から５のいずれか１項に記載の空気調和機（１０）。
【請求項７】
前記制御部（８０）は、前記優先制御運転中であっても、前記検知部（３ｂ，４，５ｂ）による検知結果に基づいて、前記顕熱負荷の処理を優先させる優先制御運転から前記潜熱負荷の処理を優先させる優先制御運転に、あるいは前記潜熱負荷の処理を優先させる優先制御運転から前記顕熱負荷の処理を優先させる優先制御運転に切り換える、
請求項３に記載の空気調和機（１０）。
【請求項８】
前記制御部（８０）は、初期設定に基づいて、前記起動時において前記顕熱負荷の処理および前記潜熱負荷の処理のいずれかの処理を優先させて前記優先制御運転を行うか決定する、
請求項２から７のいずれか１項に記載の空気調和機（１０）。
【請求項９】
前記制御部（８０）は、前記優先制御運転において前記顕熱負荷の処理を優先させる場合には、前記バッチ切換時間を前記通常運転時より長く設定する制御を行う、
請求項８に記載の空気調和機（１０）。
【請求項１０】
前記制御部（８０）は、前記優先制御運転において前記潜熱負荷の処理を優先させる場合には、前記バッチ切換時間を前記通常運転時より短く設定する制御を行う、
請求項８に記載の空気調和機（１０）。
【請求項１１】
前記室内空間から取り込んだ空気に対して前記顕熱負荷の処理あるいは前記潜熱負荷の処理を行って、前記処理された空気を室内空間へ排出するとともに、室外から取り込んだ空気に対して前記顕熱負荷あるいは前記潜熱負荷を供給して室外へ放出する循環運転を行う、
請求項８に記載の空気調和機（１０）。
【請求項１２】
前記制御部（８０）は、前記優先制御運転において前記顕熱負荷の処理を優先させる場合には、前記バッチ切換時間を前記通常運転時より長く設定する制御を行う、
請求項１１に記載の空気調和機（１０）。
【請求項１３】
前記制御部（８０）は、前記優先制御運転において前記顕熱負荷の処理を優先させる場合には、前記室外から取り込んだ空気の循環量を増加させる制御を行う、
請求項１１に記載の空気調和機（１０）。
【請求項１４】
蒸気圧縮式の冷凍サイクル運転を行うことによって、室内空間における顕熱負荷および潜熱負荷を処理する空気調和機（１０）であって、
冷凍サイクルを構成する冷媒回路（１）に流れる冷媒が供給される熱交換器（３，５）と、
空気中の水分を吸着する吸着剤と、
を備え、
前記熱交換器（３，５）を凝縮器して機能させて前記吸着剤から水分を脱離させる再生動作と、前記熱交換器（３，５）を蒸発器として機能させて前記吸着剤に空気中の水分を吸着させる吸着動作とを、所定のバッチ切換時間が経過するたびに交互に切り換えながら運転を行わせる空気調和機（１０）
の制御方法であって、
前記顕熱負荷の処理を優先させる優先制御運転を行うときには、前記バッチ切換時間を通常運転時より長くし、
前記潜熱負荷の処理を優先させる優先制御運転を行うときには、前記バッチ切換時間を通常運転時より短くする、
空気調和機（１０）の制御方法。
【発明の詳細な説明】
【技術分野】
【０００１】
本発明は、顕熱処理を行う機能と潜熱処理を行う機能とを備えた空気調和機およびその制御方法に関する。
【背景技術】
【０００２】
従来より、室内空間を快適な環境に保つために、室内空間に存在する顕熱負荷および潜熱負荷をそれぞれ処理する機能を備えた空気調和機が提供されている。
特に、特許文献１に開示された空気調和機では、顕熱処理を行う顕熱処理部と、潜熱処理を行う潜熱処理部とを別々に設けている。そして、通常運転時に室内空間における温度と湿度とを測定する等して顕熱処理と潜熱処理とのバランスを変更しながら室内空間を効率よく快適な環境にするための制御が行われている。
【特許文献１】特開２００４−６９２５７号公報（平成１６年３月４日公開）
【発明の開示】
【発明が解決しようとする課題】
【０００３】
しかしながら、上記公報に開示された従来の空気調和機では、以下に示すような問題点を有している。
すなわち、上記公報に開示された空気調和機では、通常運転時においては顕熱処理と潜熱処理とのバランスを考慮した制御がなされているものの、起動時における運転制御については特に考慮されていなかった。このため、例えば、起動時において室内空間における潜熱負荷が大きい場合には、起動してすぐに効率のよい運転制御が行われていたとは言い難い。
【０００４】
本発明の課題は、室内空間環境に応じて最適な制御を行うことが可能な空気調和機およびその制御方法を提供することにある。
【課題を解決するための手段】
【０００５】
第１の発明に係る空気調和機は、蒸気圧縮式の冷凍サイクル運転を行うことによって、室内空間における顕熱負荷および潜熱負荷を処理する空気調和機であって、冷凍サイクルを構成する冷媒回路に流れる冷媒が供給される熱交換器と、空気中の水分を吸着する吸着剤と、制御部とを備えている。制御部は、熱交換器を凝縮器して機能させて吸着剤から水分を脱離させる再生動作と、熱交換器を蒸発器として機能させて吸着剤に空気中の水分を吸着させる吸着動作とを、所定のバッチ切換時間が経過するたびに交互に切り換えながら運転を行わせる。また、制御部は、顕熱負荷の処理および潜熱負荷の処理のうちのいずれか１つの処理を優先させる優先制御運転を行うことができ、顕熱負荷の処理を優先させる優先制御運転を行うときにはバッチ切換時間を通常運転時より長くし、潜熱負荷の処理を優先させる優先制御運転を行うときにはバッチ切換時間を通常運転時より短くする。
【０００６】
ここでは、制御部が、顕熱処理、潜熱処理のいずれかの処理を優先させるように制御を行う。これにより、例えば、室内空間における湿度が高い場合には潜熱処理を優先させるように制御する等、室内環境に応じて適切な処理を優先させるような運転を行うことが可能になる。よって、室内空間における環境に応じて運転特性を最適化するように優先制御運転を行うことで、通常運転よりも効率よくユーザに対して快適な環境を提供することができる。
【０００７】
ここでは、制御部が、熱交換器を凝縮器として機能させる再生動作、熱交換器を蒸発器として機能させる吸着動作を、所定のバッチ切換時間を経過するたびに交互に切り換えながら運転を行う。これにより、熱交換器を用いて顕熱負荷および潜熱負荷を処理する、いわゆるバッチ式制御を行うことが可能になる。
そして、制御部は、顕熱負荷の処理を優先させる優先制御運転を行うときにはバッチ切換時間を通常運転時より長くし、潜熱負荷の処理を優先させる優先制御運転を行うときにはバッチ切換時間を通常運転時より短くする。
【０００８】
第２の発明に係る空気調和機は、第１の発明に記載の空気調和機であって、制御部は、優先制御運転を、起動時から通常運転が開始されるまでに行う。
【０００９】
第３の発明に係る空気調和機は、第２の発明に記載の空気調和機であって、室内空間における温度、湿度のうちの少なくとも１つを検知する検知部をさらに備えている。
ここでは、室内空間における温度、湿度を検知する検知部を備えている。このため、制御部はこの検知部における検知結果に基づいて顕熱処理、潜熱処理のいずれかを優先させて優先制御運転を開始するかを決定することができる。
【００１０】
第４の発明に係る空気調和機は、第３の発明に記載の空気調和機であって、制御部は、検知部によって室内空間における温度および湿度のうち少なくとも１つが、予め設定された温度あるいは湿度に到達したことを検知して、優先制御運転から通常運転へ切り換える。
ここでは、室内空間における温度および／または湿度が、例えば、ユーザによって設定された所望の温度および／または湿度に達するまで優先運転を継続する。これにより、起動時における顕熱負荷あるいは潜熱負荷が非常に大きい場合でも、室内空間における湿度が所定の値になるまで優先制御運転を継続させて、所定の値に達した後で通常運転へ切り換えることができる。
【００１１】
第５の発明に係る空気調和機は、第２から第４の発明のいずれか１つに記載の空気調和機であって、優先制御運転を行う時間を制限する時間が設定される時限部をさらに備えており、制御部は、時限部に設定された時間に基づいて優先制御運転から通常運転へ切り換える。
ここでは、優先制御運転から通常運転への切り換えを、時限部（タイマ）に設定された時間によって制御する。このため、所定時間の優先制御運転を行った後、通常運転へ切り換えることができる。
【００１２】
第６の発明に係る空気調和機は、第２から第５の発明のいずれか１つに記載の空気調和機であって、制御部は、ユーザによる手動入力があった場合に優先制御運転から通常運転へ切り換える。
ここでは、起動時に優先制御運転中にユーザによる手動入力があった場合には、タイマ設定や設定温湿度への到達度に関係なく、優先制御運転を通常運転に切り換える。このため、ユーザが所望のタイミングで優先制御運転から通常運転等への切り換えを行うことができる。
【００１３】
第７の発明に係る空気調和機は、第３の発明に記載の空気調和機であって、制御部は、優先制御運転中であっても、検知部による検知結果に基づいて、顕熱負荷の処理を優先させる優先制御運転から潜熱負荷の処理を優先させる優先制御運転に、あるいは潜熱負荷の処理を優先させる優先制御運転から顕熱負荷の処理を優先させる優先制御運転に切り換える。
ここでは、例えば、潜熱処理を優先させる優先制御運転中において、検知部が室内空間における顕熱負荷の増加を検知した場合には、潜熱処理を優先させる優先制御運転中であっても、顕熱処理を優先させる優先制御運転に切り換える。これにより、優先制御運転中であっても、室内環境の変化等に対応してより柔軟な優先制御運転を行うことができる。
【００１４】
第８の発明に係る空気調和機は、第１から第７の発明のいずれか１つに記載の空気調和機であって、制御部は、初期設定に基づいて、起動時において顕熱負荷の処理および潜熱負荷の処理のいずれかの処理を優先させて優先制御運転を行うか決定する。
ここでは、起動時に優先して運転される処理が初期設定によって決められているため、季節に応じて適切な処理を優先させるように初期設定を行うことができる。これにより、環境等の変化に応じた最適な制御を行って、いち早く室内空間を快適な環境にすることができる。
【００１５】
第９の発明に係る空気調和機は、第８の発明に記載の空気調和機であって、制御部は、優先制御運転において顕熱負荷の処理を優先させる場合には、バッチ切換時間を通常運転時より長く設定する制御を行う。
ここでは、起動時において顕熱処理を優先する運転を行う場合には、バッチ切換時間の設定を適切な値に設定して制御を行う。例えば、冷房運転時においてバッチ切換時間を通常運転時よりも長くすると、蒸発器として機能する側の熱交換器が十分に冷やされるとともに、吸着剤に吸着される水分量（潜熱処理量）が時間経過とともに低下して熱交換器の表面における吸着熱が減少するため、顕熱処理能力を向上させることができる。これにより、起動時に室内空間に含まれる顕熱負荷の量に応じて顕熱処理を優先させた運転を行うことができる。
【００１６】
第１０の発明に係る空気調和機は、第８の発明に記載の空気調和機であって、制御部は、優先制御運転において潜熱負荷の処理を優先させる場合には、バッチ切換時間を通常運転時より短く設定する制御を行う。
ここでは、起動時において潜熱処理を優先する運転を行う場合には、バッチ切換時間の設定を適切な値にして制御を行う。例えば、冷房運転時においてバッチ切換時間を通常運転時よりも短く設定した場合には、短時間で吸着動作と再生動作との切り換えが行われるため吸着剤の吸着力を常に高い水準で維持することができる。これにより、起動時に室内空間に含まれる潜熱負荷の処理を優先させた運転を行うことができる。
【００１７】
第１１の発明に係る空気調和機は、第８の発明に記載の空気調和機であって、室内空間から取り込んだ空気に対して顕熱負荷の処理あるいは潜熱負荷の処理を行って、処理された空気を室内空間へ排出するとともに、室外から取り込んだ空気に対して顕熱負荷あるいは潜熱負荷を供給して室外へ放出する循環運転を行う。
ここでは、室内空間における空気を循環させながら運転を行う。このため、空気調和機が、例えば、換気機能を有していないデシカント式調湿機や、流路を調整して換気を行わない循環モードで運転を行っている外調機の場合でも、循環除加湿運転を行うことができる。
【００１８】
第１２の発明に係る空気調和機は、第１１の発明に記載の空気調和機であって、制御部は、優先制御運転において顕熱負荷の処理を優先させる場合には、バッチ切換時間を通常運転時より長く設定する制御を行う。
ここでは、循環運転を行う調湿機等において、制御部が起動時における優先制御運転として顕熱処理を優先することを選択した場合には、バッチ切換時間の設定を調整する。これにより、循環運転を行う調湿機等であっても、顕熱処理能力を向上させて優先制御運転を行うことができる。
【００１９】
第１３の発明に係る空気調和機は、第１１の発明に記載の空気調和機であって、制御部は、優先制御運転において顕熱負荷の処理を優先させる場合には、室外から取り込んだ空気の循環量を増加させる制御を行う。
【００２０】
第１４の発明に係る空気調和機の制御方法は、蒸気圧縮式の冷凍サイクル運転を行うことによって、室内空間における顕熱負荷および潜熱負荷を処理する空気調和機の制御方法である。空気調和機は、冷凍サイクルを構成する冷媒回路に流れる冷媒が供給される熱交換器と、空気中の水分を吸着する吸着剤とを備え、熱交換器を凝縮器して機能させて吸着剤から水分を脱離させる再生動作と、熱交換器を蒸発器として機能させて吸着剤に空気中の水分を吸着させる吸着動作とを、所定のバッチ切換時間が経過するたびに交互に切り換えながら運転を行わせる。そして、この制御方法では、顕熱負荷の処理を優先させる優先制御運転を行うときには、バッチ切換時間を通常運転時より長くし、潜熱負荷の処理を優先させる優先制御運転を行うときには、バッチ切換時間を通常運転時より短くする。
【発明の効果】
【００２１】
第１の発明に係る空気調和機によれば、常に顕熱処理と潜熱処理とを所定のバランスで処理する従来の運転と比較して、効率よくユーザに対して快適な環境を提供することができる。
第３の発明に係る空気調和機によれば、制御部は、検知部における検知結果に基づいて顕熱処理、潜熱処理のいずれかを優先させて優先制御運転を開始するかを決定することができる。
【００２２】
第４の発明に係る空気調和機によれば、起動時における顕熱負荷あるいは潜熱負荷が非常に大きい場合でも、室内空間における湿度が所定の値になるまで優先制御運転を継続させて、所定の値に達した後で通常運転へ切り換えることができる。
第５の発明に係る空気調和機によれば、所定時間の優先制御運転を行った後、通常運転へ切り換えることができる。
【００２３】
第６の発明に係る空気調和機によれば、ユーザが所望のタイミングで優先制御運転から通常運転等への切り換えを行うことができる。
第７の発明に係る空気調和機によれば、優先制御運転中であっても、室内環境の変化等に対応してより柔軟な優先制御運転を行うことができる。
第８の発明に係る空気調和機によれば、環境等の変化に応じた最適な制御を行って、いち早く室内空間を快適な環境にすることができる。
【００２４】
第９の発明に係る空気調和機によれば、起動時に室内空間に含まれる顕熱負荷の量に応じて顕熱処理を優先させた運転を行うことができる。
第１０の発明に係る空気調和機によれば、起動時に室内空間に含まれる潜熱負荷の量に応じて潜熱処理を優先させた運転を行うことができる。
第１１の発明に係る空気調和機によれば、例えば、換気機能を有していないデシカント式調湿機や流路を調整して換気を行わないで循環モードで運転を行っている外調機の場合でも、循環除加湿運転を行うことができる。
【００２５】
第１２，１３の発明に係る空気調和機によれば、循環運転を行う調湿機等であっても、顕熱処理能力を向上させて優先制御運転を行うことができる。
第１４の発明に係る空気調和機の制御方法によれば、常に顕熱処理と潜熱処理とを所定のバランスで処理する従来の運転と比較して、効率よくユーザに対して快適な環境を提供することができる。
【発明を実施するための最良の形態】
【００２６】
本発明の一実施形態に係る空気調和機およびその制御方法について、図１〜図１３を用いて説明すれば以下の通りである。
［空気調和機全体の構成］
本実施形態の空気調和機１０は、熱交換器の表面にシリカゲル等の吸着剤を担持したデシカント式外調機であって、室内空間に供給される空気に対して冷房除湿運転、あるいは暖房加湿運転を行う。また、空気調和機１０は、第１熱交換器（熱交換器）３、第２熱交換器（熱交換器）５（図１〜図３、図５参照）、サーミスタ３ａ，５ａ、湿度センサ（検知部）３ｂ，５ｂ、温度センサ（検知部）４（図５参照）、送風ファン７７，７９、圧縮機７、ケーシング１７、制御部８０（図１１参照）等を備え、後述する冷媒回路１を形成している。
【００２７】
第１熱交換器３および第２熱交換器５は、図４に示すように、クロスフィン式のフィン・アンド・チューブ型の熱交換器であって、長方形板状に形成されたアルミニウム製の多数のフィン１３と、このフィン１３を貫通する銅製の伝熱管１５とを備えている。各フィン１３および伝熱管１５の外表面には、第１・第２熱交換器３，５を通過する空気に含まれる水分を吸着させる吸着剤がディップ成形（浸漬成形）等によって担持されている。
【００２８】
この吸着剤としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料等を使用することができる。
なお、上記第１・第２熱交換器３，５は、第１熱交換器３が凝縮器、第２熱交換器５が蒸発器として機能する第１の状態と、第１熱交換器３が蒸発器、第２熱交換器５が凝縮器として機能する第２の状態とが、後述する制御部８０によって交互に切り換えられる、いわゆるバッチ式制御が行われる。また、第１の状態においては、第１熱交換器３が凝縮器として機能する際に吸着剤から水分を脱離させる吸着剤の再生動作、第２熱交換器５が蒸発器として機能する際に吸着剤に水分を吸着させる吸着動作が行われる。一方、第２の状態においては、第１熱交換器３が蒸発器として機能する際に吸着剤に水分を吸着させる吸着動作、第２熱交換器５が凝縮器として機能する際に吸着剤から水分を脱離させる吸着剤の再生動作が行われる。このように、第１熱交換器３と第２熱交換器５とにおいて、交互に吸着動作と再生動作とを繰り返すとともに、各熱交換器３，５を通過して室内外へ供給される空気の流路を切り換えることで、吸着剤における水分の吸着と放出（脱離）とを継続して行うことができる。よって、除湿性能あるいは加湿性能を維持しつつ各種運転を安定して行うことができる。
【００２９】
また、第１熱交換器３および第２熱交換器５は、蒸発器として機能する際に、熱交換器３，５を流れる冷媒と熱交換器３，５を通過する空気との間で熱交換を行って顕熱負荷を処理するとともに、熱交換器３，５の表面に担持された吸着剤により熱交換器３，５を通過する空気に含まれる水分を吸着して潜熱処理を行う。そして、第１の状態または第２の状態において、２つの熱交換器３，５を用いて交互に吸着動作と再生動作とを行うことで、吸着剤による吸着力を低下させることなく、安定した状態で顕熱処理および潜熱処理の双方を行うことができる。
【００３０】
サーミスタ３ａは、第１熱交換器３に取り付けられており、第１熱交換器３が凝縮器として機能する第１状態と、蒸発器として機能する第２の状態とにおいて、第１熱交換器３の表面温度（冷媒温度）を測定する。
湿度センサ３ｂは、空気流路切換機構９１における空気の流路の切り換えに応じて、第１熱交換器３を通過する前、あるいは通過した後の空気の湿度を測定する。
温度センサ４は、室内空間における温度を測定する。
サーミスタ５ａは、第２熱交換器５に取り付けられており、第２熱交換器５が蒸発器として機能する第１状態と、凝縮器として機能する第２の状態とにおいて、第２熱交換器５の表面温度（冷媒温度）を測定する。
湿度センサ５ｂは、空気流路切換機構９１における空気の流路の切り換えに応じて、第２熱交換器５を通過する前、あるいは通過した後の空気の湿度を測定する。
【００３１】
第１ファン７９は、第１吹出口２３の位置に対応して取り付けられており、ケーシング１７の内部から外部に向かって空気を送り出す。
第２ファン７７は、第２吹出口２５の位置に対応して取り付けられており、ケーシング１７の内部から外部に向かって空気を送り出す。そして、第１・第２ファン７７，７９は、後述する第１吸込口１９、第２吸込口２１、第１吹出口２３、第２吹出口２５を介して、空気調和機１０における空気流路を形成する。
【００３２】
ケーシング１７は、略直方体形状の箱であって、後述する冷媒回路１が収納されている。ケーシング１７の左側面板１７ａには、室外空気ＯＡを取り入れる第１吸込口１９と、リターン空気である室内空気ＲＡを取り入れる第２吸込口２１とが形成されている。一方、ケーシング１７の右側面板１７ｂには、排出空気ＥＡを室外に排出する第１吹出口２３と、調湿空気ＳＡを室内に供給する第２吹出口２５とが形成されている。また、ケーシング１７の内部には、ケーシング１７の内部を仕切る仕切部材として仕切板２７が設けられている。そして、ケーシング１７は、この仕切板２７によって形成された空気室２９ａと機器室２９ｂとを有している。
【００３３】
仕切板２７は、図１に示すように、ケーシング１７の下端である正面板１７ｃから上端である背面板１７ｄまで設けられているとともに、ケーシング１７の中央部よりやや右側に配置されている。さらに、仕切板２７は、ケーシング１７の厚さ方向である垂直方向に設けられており、図２および図３に示すように、ケーシング１７の上端である上面板１７ｅから下端である下面板１７ｆまで設けられている。
【００３４】
空気室２９ａには、仕切部材として、第１端面板３３と第２端面板３１と中央の区画板６７とが設けられている。第１端面板３３と第２端面板３１とは、図１に示すように、ケーシング１７の左側面板１７ａから仕切板２７まで設けられている。また、第１端面板３３は、図１に示すように、ケーシング１７の中央部よりやや上側に配置され、第２端面板３１は、図１に示すように、ケーシング１７の中央部よりやや下側に配置されている。また、第１端面板３３と第２端面板３１とは、図２および図３に示すように、ケーシング１７の上面板１７ｅから下面板１７ｆまで設けられている。区画板６７は、図１に示すように、第１端面板３３から第２端面板３１まで設けられている。
【００３５】
機器室２９ｂには、冷媒回路１を構成する部材のうち、熱交換器３，５を除く圧縮機７等が収納されているとともに、第１ファン７９と第２ファン７７とが収納されている。
さらに、ケーシング１７は、空気室２９ａに、第１端面板３３と第２端面板３１と区画板６７と仕切板２７とによって形成された第１熱交換室６９と、第１端面板３３と第２端面板３１と区画板６７と左側面板１７ａとによって形成された第２熱交換室７３とを有している。
【００３６】
第１熱交換室６９には、第１熱交換器３が配置され、第２熱交換室７３には、第２熱交換器５が配置されている。
第１端面板３３と背面板１７ｄとの間には、仕切部材である水平板６１が設けられて第１流入路６３と第１流出路６５とが形成されている。また、第２端面板３１と正面板１７ｃとの間には、仕切部材である水平板５５が設けられて第２流入路５７と第２流出路５９とが形成されている。
【００３７】
水平板６１，５５は、ケーシング１７の内部空間を仕切っており、図２に示すように、第１流入路６３が上面側に、第１流出路６５が下面側に形成され、図３に示すように、第２流入路５７が上面側に、第２流出路５９が下面側に形成されている。つまり、第１流入路６３と第１流出路６５とは、第１熱交換室６９および第２熱交換室７３の各一面が連続する厚さ方向の一端面に沿って形成され、かつ第１熱交換室６９および第２熱交換室７３の厚さ方向に重畳して配置されている。
【００３８】
また、第２流入路５７と第２流出路５９とは、第１熱交換室６９および第２熱交換室７３の各一面が連続する端面で一端面に対向する対向面に沿って形成され、かつ第１熱交換室６９および第２熱交換室７３の厚さ方向に重畳して配置されている。
そして、第１流入路６３および第１流出路６５と第２流入路５７および第２流出路５９とは、図１に示すように上下対称に配置され、つまり、第１熱交換室６９および第２熱交換室７３を横断する中央線を基準として面対称に配置されている。
【００３９】
さらに、第１流入路６３は、第１吸込口１９に連通し、第１流出路６５は、第１ファン７９を介して第１吹出口２３に連通している。また、第２流入路５７は、第２吸込口２１に連通し、第２流出路５９は、第２ファン７７を介して第２吹出口２５に連通している。
第１端面板３３には、図２に示すように、４つの開口３３ａ〜３３ｄが形成されている。各開口３３ａ〜３３ｄには、第１ダンパ４７、第２ダンパ４８、第３ダンパ４９および第４ダンパ５０が設けられている。４つの開口３３ａ〜３３ｄは、行列方向に近接して配置されており、つまり、上下左右に２つずつ升目状に配置され、第１の開口３３ａと第３の開口３３ｃとが第１熱交換室６９の内部に形成され、第２の開口３３ｂと第４の開口３３ｄとが第２熱交換室７３の内部に形成されている。
【００４０】
第１の開口３３ａは、第１流入路６３と第１熱交換室６９とを連通させ、第３の開口３３ｃは、第１流出路６５と第１熱交換室６９とを連通させている。また、第２の開口３３ｂは、第１流入路６３と第２熱交換室７３とを連通させ、第４の開口３３ｄは、第１流出路６５と第２熱交換室７３とを連通させている。
第２端面板３１には、図３に示すように、４つの開口３１ａ〜３１ｄが形成されている。各開口３１ａ〜３１ｄには、第５ダンパ３５、第６ダンパ３６、第７ダンパ３７および第８ダンパ３８が設けられている。４つの開口３１ａ〜３１ｄは、行列方向に近接して配置されている。つまり、４つの開口３１ａ〜３１ｄは、上下左右に２つずつ升目状に配置されている。そして、第５の開口３１ａと第７の開口３１ｃとが第１熱交換室６９の内部に形成され、第６の開口３１ｂと第８の開口３１ｄとが第２熱交換室７３の内部に形成されている。
【００４１】
第５の開口３１ａは、第２流入路５７と第１熱交換室６９とを連通させ、第７の開口３１ｃは、第２流出路５９と第１熱交換室６９とを連通させている。また、第６の開口３１ｂは、第２流入路５７と第２熱交換室７３とを連通させ、第８の開口３１ｄは、第２流出路５９と第２熱交換室７３とを連通させている。
また、第１〜第８ダンパ４７〜５０，３５〜３８は、開口３３ａ〜３３ｄおよび開口３１ａ〜３１ｄを開閉する図示しない開閉手段（空気流路切換機構９１）を有しており、この開閉手段を用いて、上述した第１の状態と第２の状態との切り換え時に空気の流路を変更する。
【００４２】
本実施形態の空気調和機１０は、図１１に示す制御部８０を備えており、制御部８０によって除湿運転と加湿運転とを切り換え可能に制御する。また、制御部８０は、図１１に示すように、湿度センサ３ｂ，５ｂ、温度センサ４、記憶部８１、タイマ（時限部）８２、手動入力部８３、空気流路切換機構９１、四路切換弁９、膨張弁１１と接続されている。
【００４３】
湿度センサ３ｂ，５ｂおよび温度センサ４については、上述した通りである。
記憶部８１は、温度、湿度制御の目標となる設定値や、運転制御の初期設定の内容、空気調和機１０の運転制御プログラム等が記憶されており、優先制御運転時にはこの記憶部８１に記憶された内容に基づいて空気調和機１０の制御が行われる。
タイマ８２は、通常運転時における入切タイマ、優先制御運転の継続を制限する時限部として機能する。
【００４４】
手動入力部８３は、起動時、通常運転切換時、優先運転切換時等にユーザからの入力を受け付ける。
空気流路切換機構９１は、第１〜第４ダンパ３５〜３８が備えている図示しない切換手段であって、制御部８０からの指示によって空気流路を切り換える。
四路切換弁９は、後述する冷媒回路１において冷媒の流路を切り換える。なお、四路切換弁９については、冷媒回路１について説明する後段にて詳述する。
【００４５】
膨張弁１１は、後述する冷媒回路１において冷媒の圧力を調整する。
また、制御部８０は、空気調和機１０が除湿運転を行う場合には、第１熱交換器３および第２熱交換器５を交互に蒸発器として機能させ、この第１熱交換器３または第２熱交換器５を介して空気調和機１０内を流れる空気に含まれる水分を吸着剤で吸着させる。一方、第２熱交換器５または第１熱交換器３を凝縮器として機能させ、凝縮熱により、この第２熱交換器５または第１熱交換器３を介して空気調和機１０内を流れる空気に対して吸着剤において吸着した水分を放出して吸着剤を再生させる。そして、吸着剤によって除湿された空気を室内に供給し、かつ吸着剤から水分が放出された空気を室外に供給するように冷媒回路１の冷媒循環および第１〜第８ダンパ４７〜５０，３５〜３８によって空気流路を切り換える。
【００４６】
一方、制御部８０は、加湿運転を行う場合には、蒸発器として機能する第１熱交換器３または第２熱交換器５の吸熱作用により空気調和機１０内を流れる空気に含まれる水分を吸着剤で吸着する。一方、凝縮器として機能する第２熱交換器５または第１熱交換器３の放熱作用により空気調和機１０内を流れる空気に対して吸着剤において吸着した水分を放出して吸着剤を再生する。そして、吸着剤から水分が放出されて加湿された空気を室内に供給するように冷媒回路１の冷媒循環およびダンパ４７〜５０，３５〜３８による空気流通を切り換える。
【００４７】
具体的には、制御部８０は、全換気モードにおいて除湿運転を行う場合には、室外空気を取り込み、蒸発器として機能する第１熱交換器３または第２熱交換器５の表面に担持された吸着剤において室外空気の水分を吸着し、室外空気を除湿空気にして室内に供給する。一方、室内空気を取り込み、凝縮器として機能する第２熱交換器５または第１熱交換器３の表面に担持された吸着剤から水分を放出させて吸着剤を再生し、加湿空気を室外へ放出する。
【００４８】
また、制御部８０は、循環モードにおいて除湿運転を行う場合には、室内空気を取り込み、蒸発器として機能する第１熱交換器３または第２熱交換器５の表面に担持された吸着剤において室内空気の水分を吸着し、除湿した空気を室内に供給する。一方、室外空気を取り込み、凝縮器として機能する第２熱交換器５または第１熱交換器３の表面に担持された吸着剤から水分を放出させて吸着剤を再生し、加湿空気を室外へ放出することで除湿運転を行う。
【００４９】
一方、制御部８０は、全換気モードにおいて加湿運転を行う場合には、室内空気を取り込み、蒸発器として機能する第１熱交換器３または第２熱交換器５の表面に担持された吸着剤において取り込まれた空気に含まれる水分を吸着し、除湿された空気を室外に排出する。一方、室外空気を取り込み、凝縮器として機能する第２熱交換器５または第１熱交換器３の表面に担持された吸着剤から水分を放出させて吸着剤を再生し、加湿された空気を室内に供給する。
【００５０】
また、制御部８０は、循環モードにおいて加湿運転を行う場合には、室外空気を取り込み、蒸発器として機能する第１熱交換器３または第２熱交換器５の表面に担持された吸着剤において取り込まれた空気に含まれる水分を吸着し、除湿された空気を屋外へ放出する。一方、室内空気を取り込み、凝縮器として機能する第２熱交換器５または第１熱交換器３の表面に担持された吸着剤から水分を放出して吸着剤を再生し、加湿された空気を屋内へ放出する。
【００５１】
〔冷媒回路の構成〕
冷媒回路１は、図５に示すように、圧縮機７と、四路切換弁９と、第１熱交換器３と、膨張弁１１と、第２熱交換器５とがこの順に冷媒配管を介して接続された閉回路として形成されている。さらに、冷媒回路１には冷媒が充填されており、この冷媒が冷媒回路１を循環して蒸気圧縮式の冷凍サイクルを形成している。
【００５２】
第１熱交換器３は、その一端が四路切換弁９に接続されており、他端は膨張弁１１を介して第２熱交換器５の一端に接続されている。
第２熱交換器５は、一端が膨張弁１１を介して第１熱交換器３に接続されており、他端が四路切換弁９に接続されている。
四路切換弁９は、冷媒の流路切換手段であって、図６（ａ）に示すように、第１のポートと第３のポートとが連通すると同時に第２のポートと第４のポートとが連通する状態と、図６（ｂ）に示すように、第１のポートと第４のポートとが連通すると同時に第２のポートと第３のポートとが連通する状態とに切り換え可能である。そして、この四路切換弁９の切り換えにより冷媒回路における冷媒の流路を変更して、第１熱交換器３が凝縮器として機能すると同時に第２熱交換器５が蒸発器として機能する第１の状態と、第１熱交換器３が蒸発器として機能すると同時に第２熱交換器５が凝縮器として機能する第２の状態とを切り換えを行うことができる。
【００５３】
〔運転動作〕
次に、上述した空気調和機１０の運転動作について説明する。空気調和機１０は、第１空気と第２空気とを取り込み、除湿運転と加湿運転とを切り換えて行う。また、空気調和機は、第１の状態と第２の状態とを交互に繰り返すことにより、除湿運転および加湿運転を連続的に行う。また、空気調和機１０は、全換気モードの除湿運転および加湿運転と、循環モードの除湿運転および加湿運転とを行う。以下で、各運転モードにおける制御内容について詳しく説明する。
【００５４】
−全換気モードの冷房除湿運転−
空気調和機１０において全換気モードの冷房除湿運転を行う場合には、制御部８０は、室外空気ＯＡとして取り込んだ第１空気を空調空気ＳＡとして室内に供給する一方、室内空気ＲＡとして取り込んだ第２空気を排出空気ＥＡとして室外に排出するように各部を制御する。
【００５５】
《第１動作》
第１ファン７９および第２ファン７７を駆動した第１動作では、第２熱交換器５において吸着動作、第１熱交換器３において再生（脱離）動作が行われる。つまり、第１動作では、図６（ａ）および図７に示すように、第２熱交換器５に第１空気として取り込んだ室外空気ＯＡ中の水分が吸着され、第１熱交換器３の表面に担持された吸着剤から脱離した水分が第２空気に付与される。
【００５６】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて、吸着剤から水分が脱離して吸着剤が再生される。
【００５７】
一方、第１熱交換器３において凝縮した冷媒は、膨張弁１１で減圧される。減圧後の冷媒は、冷却用の熱媒体として第２熱交換器５に流れる。第２熱交換器５においては、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、循環が繰り返される。
【００５８】
また、第１ファン７９および第２ファン７７の駆動により、第２吸込口２１より第２空気として流入した室内空気ＲＡは、第２流入路５７を流れ、第５の開口３１ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から排出空気ＥＡとして室外に排出される。
【００５９】
一方、第１吸込口１９より流入した室外空気ＯＡは、第１空気として第１流入路６３を流れ、第２の開口３３ｂから第２熱交換室７３に流れる。この第２熱交換室７３において、第１空気は、水分が第２熱交換器５の吸着剤に吸着されて除湿される。さらに、第１空気は、第２熱交換器５における冷媒の蒸発熱によって顕熱を奪われる。このように冷房除湿された第１空気は、第２熱交換室７３から第８の開口３１ｄを経て第２流出路５９を流れ、第２ファン７７を経て第２吹出口２５から、空調空気ＳＡとして室内に供給される。
【００６０】
この第１動作を所定のバッチ切換時間が経過するまで行った後、第２動作を行う。
《第２動作》
第１ファン７９および第２ファン７７を駆動した第２動作では、図６（ｂ）に示すように、第１熱交換器３での吸着動作と、第２熱交換器５での再生動作とが行われる。つまり、第２動作では、図６（ｂ）および図８に示すように、第１熱交換器３に第１空気として取り込まれた室外空気ＯＡ中の水分が吸着され、第２熱交換器５の表面に担持された吸着剤から脱離した水分が第１空気に付与されて、室内空気ＳＡとして室内に供給される。
【００６１】
また、四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００６２】
一方、第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００６３】
また、第１ファン７９および第２ファン７７の駆動により、第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から、排出空気ＥＡとして室外に排出される。
【００６４】
一方、第１吸込口１９より室外空気ＯＡとして流入した第１空気は、第１流入路６３を流れ、第１の開口３３ａから第１熱交換室６９に流れる。この第１熱交換室６９において、第１空気は、水分が第１熱交換器３の吸着剤に吸着されて除湿される。さらに、第１空気は、第１熱交換器３における冷媒の蒸発熱によって顕熱を奪われる。このように冷房除湿された第１空気は、第１熱交換室６９から第７の開口３１ｃを経て第２流出路５９を流れ、第２ファン７７を経て第２吹出口２５から、空調空気ＳＡとして室内に供給される。
【００６５】
この第２動作を所定のバッチ切換時間が経過するまで行った後、再び第１動作を行う。そして、この第１動作と第２動作とを所定のバッチ切換時間が経過する毎に繰り返すことで室内空間における除湿を連続的に行う。
−全換気モードの暖房加湿運転−
空気調和機１０において全換気モードの暖房加湿運転を行う場合には、制御部８０が、室内空気ＲＡとして取り込んだ第１空気を室外空気ＥＡとして室外に排出し、室外空気ＯＡとして取り込んだ第２空気を室内空気ＳＡとして室内に供給するように各部を制御する。
【００６６】
《第１動作》
第１ファン７９および第２ファン７７を駆動した第１動作では、第２熱交換器５での吸着動作と、第１熱交換器３での再生動作とが行われる。つまり、第１動作では、図６（ａ）および図９に示すように、第２熱交換器５に第１空気として取り込まれた室内空気ＲＡ中の水分が吸着され、第１熱交換器３の表面に担持された吸着剤から脱離した水分がＯＡとして取り込まれた第２空気に付与される。
【００６７】
また、四路切換弁９は、図６（ａ）に示すように、第１ポートと第３ポートとが接続され、第２ポートと第４ポートとが接続された状態に切り換えられる。その結果、冷媒回路１の第１熱交換器３が凝縮器として機能し、第２熱交換器５が蒸発器として機能する。
つまり、圧縮機７から吐出された高温高圧の冷媒は、加熱用の熱媒体として第１熱交換器３に流れる。この第１熱交換器３において、冷媒によってフィン１３および伝熱管１５の外表面に担持された吸着剤が加熱されて吸着剤から水分が脱離して吸着剤が再生される。
【００６８】
一方、第１熱交換器３において凝縮した冷媒は、膨張弁１１で減圧される。減圧後の冷媒は、冷却用の熱媒体として第２熱交換器５に流れる。この第２熱交換器５において、フィン１３および伝熱管１５の外表面に担持された吸着剤が水分を吸着する際に吸着熱が発生する。第２熱交換器５の冷媒は、この吸着熱を吸熱して蒸発する。蒸発した冷媒は、圧縮機７に戻り、冷媒はこの循環を繰り返す。
【００６９】
また、第１ファン７９および第２ファン７７の駆動により、第２吸込口２１より室内空気ＲＡとして流入した第１空気は、第２流入路５７を流れ、第６の開口３１ｂから第２熱交換室７３に流れる。この第２熱交換室７３において、第１空気に含まれる水分が第２熱交換器５の吸着剤に吸着されて除湿される。この除湿された第１空気は、排出空気ＥＡとなり、第２熱交換室７３から第４の開口３３ｄを経て第１流出路６５を流れ、第１ファン７９を経て第１吹出口２３より室外に排出される。
【００７０】
一方、第１吸込口１９より室外空気ＯＡとして流入した第２空気は、第１流入路６３を流れ、第１の開口３３ａから第１熱交換室６９に流れる。第２空気は、この第１熱交換室６９において、第１熱交換器３の吸着剤より脱離した水分が放出されて加湿される。さらに、第２空気は、第１熱交換器３における冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５から調湿空気ＳＡとして室内に供給される。
この第１動作を所定のバッチ切換時間が経過するまで行った後、第２動作を行う。
【００７１】
《第２動作》
第１ファン７９および第２ファン７７を駆動した第２動作では、第１熱交換器３での吸着動作と、第２熱交換器５での再生動作とが行われる。つまり、第２動作では、図６（ｂ）および図１０に示すように、第１熱交換器３に室内空気ＲＡとして取り込まれた第１空気中の水分が吸着され、第２熱交換器５から脱離した水分が室外空気ＯＡとして取り込まれた第２空気に付与される。
【００７２】
また、上記四路切換弁９は、図６（ｂ）に示すように、第１ポートと第４ポートとが接続され、第２ポートと第３ポートとが接続された状態に切り換えられる。その結果、冷媒回路１では、第２熱交換器５が凝縮器として機能し、第１熱交換器３が蒸発器として機能する。
つまり、圧縮機７から吐出された高温高圧の冷媒は、加熱用の熱媒体として第２熱交換器５に流れる。この第２熱交換器５において、冷媒によってフィン１３および伝熱管１５の外表面に担持された吸着剤が加熱されて吸着剤から水分が脱離して吸着剤が再生される。
【００７３】
一方、上記第２熱交換器５で凝縮した冷媒は、膨張弁１１で減圧される。減圧後の冷媒は、冷却用の熱媒体として第１熱交換器３に流れる。この第１熱交換器３において、フィン１３および伝熱管１５の外表面に担持された吸着剤が水分を吸着する際に吸着熱が発生する。第１熱交換器３の冷媒は、この吸着熱を吸熱して蒸発する。蒸発した冷媒は、圧縮機７に戻り、冷媒はこの循環を繰り返す。
【００７４】
また、第１ファン７９および第２ファン７７の駆動により、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第１熱交換器３における冷媒の蒸発熱によって顕熱を奪われる。このように、冷房除湿された第１空気は、第１熱交換室６９から第３の開口３３ｃを経て第１流出路６５を流れ、第１ファン７９を経て第１吹出口２３から排出空気ＥＡとして室内に排出される。
【００７５】
一方、第１吸込口１９より室外空気ＯＡとして流入した第２空気は、第１流入路６３を流れ、第２の開口３３ｂから第２熱交換室７３に流れる。第２空気には、第２熱交換室７３において、第２熱交換器５の吸着剤より脱離した水分が放出されて加湿される。この加湿された第２空気は、第２熱交換室７３から第８の開口３１ｄを経て第２流出路５９を流れ、第２ファン７７を経て第２吹出口２５から調湿空気ＳＡとして室外に供給される。
【００７６】
この第２動作を所定のバッチ切換時間が経過するまで行った後、再び第１動作を行う。そして、この第１動作と第２動作とを所定のバッチ切換時間が経過する毎に繰り返して室内空間に対して加湿を連続的に行う。
−循環モードの冷房除湿運転−
空気調和機１０において循環モードの冷房除湿運転を行う場合には、制御部８０が、室内空気ＲＡを取り込んで第１空気として室内に供給する一方、室外空気ＯＡを第２空気として取り込み室外に排出するように各部を制御する。なお、冷媒回路１の冷媒循環については、上述した全換気モードと同様である。
【００７７】
《第１動作》
第１動作では、第２熱交換器５での吸着動作と、第１熱交換器３での再生（脱離）動作とが行われる。つまり、第１動作では、第２熱交換器５に室内空気ＲＡとして取り込まれた第１空気中の水分が吸着され、第１熱交換器３の表面に担持された吸着剤から脱離した水分が室外空気ＯＡとして取り込まれた第２空気に付与される。
【００７８】
第１吸込口１９より室外空気ＯＡとして流入した第２空気は、第１流入路６３を流れ、第１の開口３３ａから第１熱交換室６９に流れる。この第１熱交換室６９において、第２空気は、第１熱交換器３の吸着剤より脱離した水分が放出されて加湿される。この加湿された第２空気は、第１熱交換室６９から第３の開口３３ｃを経て第１流出路６５を流れ、第１ファン７９を経て第１吹出口２３から、排出空気ＥＡとして室外に排出される。
【００７９】
一方、第２吸込口２１より室内空気ＲＡとして流入した第１空気は、第２流入路５７を流れ、第６の開口３１ｂから第２熱交換室７３に流れる。この第２熱交換室７３において、第２空気に含まれる水分が第２熱交換器５の吸着剤に吸着されて除湿される。さらに、第２空気は、第２熱交換器５において冷媒の蒸発熱によって顕熱を奪われる。このように冷房除湿された第２空気は、第２熱交換室７３から第８の開口３１ｄを経て第２流出路５９を流れ、第２ファン７７を経て第２吹出口２５から空調空気ＳＡとして室内に供給される。
この第１動作を所定のバッチ切換時間が経過するまで行った後、第２動作を行う。
【００８０】
《第２動作》
第２動作では、第１熱交換器３での吸着動作と、第２熱交換器５での再生動作とが行われる。つまり、第２動作では、第１熱交換器３に室内空気ＲＡとして取り込まれた第１空気中の水分が吸着され、第２熱交換器５の表面に担持された吸着剤から脱離した水分が第２空気に付与される。
【００８１】
第１吸込口１９より室外空気ＯＡとして流入した第２空気は、第１流入路６３を流れ、第２の開口３３ｂから第２熱交換室７３に流れる。この第２熱交換室７３において、第２空気は、第２熱交換器５の吸着剤より脱離した水分が放出されて加湿される。この加湿された第２空気は、第２熱交換室７３から第４の開口３３ｄを経て第１流出路６５を流れ、第１ファン７９を経て第１吹出口２３から排出空気ＥＡとして室外に排出される。
【００８２】
一方、第２吸込口２１より室内空気ＲＡとして流入した第１空気は、第２流入路５７を流れ、第５の開口３１ａから第１熱交換室６９に流れる。この第１熱交換室６９において、第１空気に含まれる水分が第１熱交換器３の吸着剤に吸着されて除湿される。さらに、第１空気は、第２熱交換器５において冷媒の蒸発熱によって顕熱を奪われる。このように、冷房除湿された第１空気は、第１熱交換室６９から第７の開口３１ｃを経て第２流出路５９を流れ、第２ファン７７を経て第２吹出口２５から空調空気ＳＡとして室内に供給される。
【００８３】
この第２動作を所定のバッチ切換時間が経過するまで行った後、再び第１動作を行う。そして、この第１動作と第２動作とを所定のバッチ切換時間が経過する毎に繰り返して室内空間における除湿を連続的に行う。
−循環モードの暖房加湿運転−
空気調和機１０において循環モードの暖房加湿運転を行う場合には、制御部８０が、室外空気ＯＡとして取り込んだ第１空気を室外に排出し、室内空気ＲＡとして取り込んだ第２空気を室内に供給するように各部を制御する。なお、冷媒回路１の冷媒循環については、上述した全換気モードと同様である。
【００８４】
《第１動作》
第１動作では、第２熱交換器５での吸着動作と、第１熱交換器３での再生動作とが行われる。つまり、第１動作では、第２熱交換器５に室外空気ＯＡとして取り込んだ第１空気中の水分が吸着され、第１熱交換器３の表面に担持された吸着剤から脱離した水分が室内空気ＲＡとして取り込んだ第２空気に付与される。
【００８５】
第２吸込口２１より室内空気ＲＡとして流入した第２空気は、第２流入路５７を流れ、第５の開口３１ａから第１熱交換室６９に流れる。この第１熱交換室６９において、第２空気は、第１熱交換器３の吸着剤より脱離した水分が放出されて加湿される。さらに、第２空気は、第１熱交換器３において冷媒の凝縮熱によって顕熱を与えられる。このように暖房加湿された第２空気は、第１熱交換室６９から第７の開口３１ｃを経て第２流出路５９を流れ、第２ファン７７を経て第２吹出口２５より室内に供給される。
【００８６】
一方、第１吸込口１９より室外空気ＯＡとして流入した第１空気は、第１流入路６３を流れ、第２の開口３３ｂから第２熱交換室７３に流れる。この第２熱交換室７３において、第１空気に含まれる水分が第２熱交換器５の吸着剤に吸着されて除湿される。この除湿された第１空気は、第２熱交換室７３から第４の開口３３ｄを経て第１流出路６５を流れ、第１ファン７９を経て第１吹出口２３から排出空気ＥＡとして室外に排出される。
この第１動作を所定のバッチ切換時間が経過するまで行った後、第２動作を行う。
【００８７】
《第２動作》
第２動作では、第１熱交換器３での吸着動作と、第２熱交換器５での再生動作とが行われる。つまり、第２動作では、第１熱交換器３に室外空気ＯＡとして取り込まれた第１空気中の水分が吸着され、第２熱交換器５の表面に担持された吸着剤から脱離した水分が室内空気ＲＡとして取り込まれた第２空気に付与される。
【００８８】
第２吸込口２１より室内空気ＲＡとして流入した第２空気は、第２流入路５７を流れ、第６の開口３１ｂから第２熱交換室７３に流れる。この第２熱交換室７３において、第２空気は、第２熱交換器５の吸着剤より脱離した水分が放出されて加湿される。さらに、第２空気は、第２熱交換器５において冷媒の凝縮熱によって顕熱を与えられる。このように
暖房加湿された第２空気は、第２熱交換室７３から第８の開口３１ｄを経て第２流出路５９を流れ、第２ファン７７を経て第２吹出口２５から調湿空気ＳＡとして室内に供給される。
【００８９】
一方、第１吸込口１９より室外空気ＯＡとして流入した第１空気は、第１流入路６３を流れ、第１の開口３３ａから第１熱交換室６９に流れる。この第１熱交換室６９において、第１空気に含まれる水分が第１熱交換器３の吸着剤に吸着されて除湿される。この除湿された第１空気は、第１熱交換室６９から第３の開口３３ｃを経て第１流出路６５を流れ、第１ファン７９を経て第１吹出口２３から排出空気ＥＡとして室外に排出される。
この第２動作を所定のバッチ切換時間が経過するまで行った後、再び第１動作を行う。そして、この第１動作と第２動作とを所定のバッチ切換時間が経過する毎に繰り返して室内空間に対する加湿を連続的に行う。
【００９０】
［起動時における優先制御運転］
本実施形態の空気調和機１０は、以上のような構成を備えており、制御部８０は、その起動時において図１２および図１３に示すフローチャートに従って制御を行う。
【００９１】
−室内空間の状態に応じた優先制御−
まず、空気調和機１０は、図１２に示すように、ステップ（以下、Ｓと示す）１において起動される。その後、Ｓ２において、湿度センサ３ｂ，５ｂおよび温度センサ４が、起動時における室内空間の温度および湿度を測定する。
ここで、空気調和機１０が内部に備えている記憶部８１には、ユーザによって所望の目標温度値、目標湿度値が設定されている。
【００９２】
このため、Ｓ３において、制御部８０が、測定された温度および湿度と、ユーザによって予め設定された温度および湿度との差の割合を算出する。この結果、Ｓ４において、制御部８０が、温度と湿度のうち、測定値と設定値との差の割合が大きい方を選択して、Ｓ５において、顕熱処理を優先させるか潜熱処理を優先させるかを決定する。そして、空気調和機１０は、Ｓ６において、室内空間における起動時の温度、湿度に応じて顕熱処理および潜熱処理のうち適切な処理を優先させるように優先制御運転を行う。なお、制御部８０は、この優先制御運転を後段において詳述する所定の条件を満たすまで継続運転し、所定の条件を満たすとＳ７において通常運転に切り換える。
【００９３】
次に、この優先制御運転の具体的な制御内容について説明する。
例えば、制御部８０において、温度の実測値と設定された目標温度値との差の割合が湿度よりも大きいと算出されて、顕熱処理を優先させる顕熱優先制御運転を行うことが決定された場合には、第１熱交換器３および第２熱交換器５における吸着動作と再生動作とを切り換えるバッチ切換時間を通常運転時よりも延長する。これにより、蒸発器として機能する側の熱交換器が十分に冷やされた状態で空気と冷媒との熱交換を行わせることができるとともに、蒸発器として機能する時間が長くなると熱交換器の表面に担持された吸着剤の吸着能力が低下していくため、顕熱処理を潜熱処理よりも優先させることになる。
【００９４】
なお、本実施形態の空気調和機１０が、換気機能を有していないデシカント式調湿機である場合や、デシカント式外調機であって上述した循環運転を行う場合には、室外から取り入れる空気の循環量を増加させる制御を行ってもよい。このように、空気の循環量を増加させることで、顕熱処理の能力を向上させて顕熱処理の優先制御運転を行うことができる。
【００９５】
一方、制御部８０において、潜熱処理を優先させる優先制御運転を行うことが決定された場合には、第１熱交換器３および第２熱交換器５における吸着動作と再生動作とを切り換えるバッチ切換時間を通常運転時よりも短縮する。これにより、蒸発器として機能する側の熱交換器の表面に担持された吸着剤を常に高い吸着能力を有する状態に維持することができるとともに、バッチ切換時間を短くすると熱交換器が十分に冷やされる（温められる）前に切り換えが行われることになるため、潜熱処理を顕熱処理よりも優先させることができる。
【００９６】
次に、この優先制御運転から通常運転への切り換えは、以下に示すような条件を満たすことで行われる。
すなわち、制御部８０は、図１１に示すように、優先制御運転を行う時間を設定可能なタイマ８２と接続されている。このため、制御部８０は、優先制御運転開始後、タイマ８２に設定された所定の時間が経過すると所定の条件を満たしたものとして、優先制御運転から通常運転への切り換えを行う。
【００９７】
優先制御運転から通常運転への切り換えについては、このタイマ８２に設定された時間経過による切り換えに限定されるものではない。これ以外にも、室内空間における温湿度が記憶部８１に記憶された温度、湿度の設定値に到達したことが、湿度センサ３ｂ，５ｂおよび温度センサ４における測定結果から認識された場合には、制御部８０が所定の条件を満たしたものとして、優先制御運転から通常運転への切り換えを行うことができる。また、ユーザによる入力を手動入力部８３が受け付けた場合には、制御部８０が所定の条件を満たしたものとして、優先制御運転から通常運転への切り換えを行うことができる。そして、これらの複数の切換条件を組み合わせることで、より多様な制御を行うことが可能になる。
【００９８】
さらに、本実施形態の空気調和機１０では、優先制御運転から他の優先制御運転への切り換えを行うこともできる。具体的には、優先制御運転中に湿度センサ３ｂ，５ｂおよび温度センサ４における測定結果から、例えば、顕熱処理を優先させて優先制御運転を行っている際に潜熱負荷の増加（湿度の上昇）が判明した場合には、潜熱処理を優先させる優先制御運転に切り換えてもよい。潜熱処理を優先させる優先制御運転から顕熱処理を優先させる優先制御運転への切り換えについても同様である。
【００９９】
−初期設定による優先制御−
また、優先制御運転の内容を、初期設定に基づいて決定する制御について、図１３を用いて説明すれば以下の通りである。
まず、空気調和機１０は、図１３に示すように、Ｓ１１において起動される。その後、Ｓ１２において、制御部８０が記憶部８１に記憶されている初期設定の内容について確認する。ここで、初期設定の内容については、例えば、湿度の高い梅雨の時期には潜熱処理を優先させるように初期設定がされ、気温が高くなる真夏には顕熱処理を優先させるように初期設定がされている。
【０１００】
Ｓ１３においては、制御部８０が、初期設定として記憶部８１に記憶されている内容に基づいて、顕熱処理を優先させるか潜熱処理を優先させるかを決定する。そして、空気調和機１０は、Ｓ１４において優先制御運転を開始する。なお、制御部８０は、この優先制御運転を上述した所定の条件を満たすまで継続運転し、所定の条件を満たすとＳ１５において通常運転に切り換える。
なお、顕熱処理を優先させた優先制御運転、潜熱処理を優先させた優先制御運転に関する具体的な制御内容、優先制御運転から通常運転への切り換えについては、上述したとおりである。
【０１０１】
［本空気調和機の特徴］
（１）
本実施形態の空気調和機１０は、起動時から通常運転を開始する前段階において、図１２に示すように、制御部８０が、温度センサ４等における測定結果に応じてバッチ切換時間等を調整することで、顕熱処理あるいは潜熱処理のいずれかを優先させる優先制御運転を行う。
【０１０２】
これにより、例えば、起動時における室内空間において気温が非常に高い場合には顕熱処理を優先させ、湿度が非常に高い場合には潜熱処理を優先させるように運転を制御することができる。よって、起動時から優先制御運転を開始することで、起動時における室内空間環境に応じて最適な運転を行って、効率よく快適な環境を提供することができる。
（２）
本実施形態の空気調和機１０は、図５および図１１に示すように、室内空間における温度、湿度をそれぞれ測定する湿度センサ３ｂ，５ｂおよび温度センサ４を備えている。
【０１０３】
これにより、起動時における室内空間の温度および湿度を測定して、優先制御運転について顕熱処理を優先させるか、潜熱処理を優先させるかを決定する材料として、制御部８０がこの測定結果を用いることができる。
（３）
本実施形態の空気調和機１０では、制御部８０が、優先運転を開始した後、上述した湿度センサ３ｂ，５ｂおよび温度センサ４において、所定の設定値まで温度および／または湿度が到達したことを検知した場合には、制御部８０が、優先制御運転を通常運転へ切り換える。
【０１０４】
これにより、優先運転によって顕熱負荷あるいは潜熱負荷を優先的に処理して所望の温度または湿度になった後、通常運転へ切り換えることで、室内環境を効率よく所望の環境にすることができる。
（４）
本実施形態の空気調和機１０では、図１１に示すように、制御部８０がタイマ８２と接続されており、タイマ８２に設定された時間により優先制御運転から通常運転への切り換えが行われる。
【０１０５】
これにより、タイマ８２に時間制限を設定して優先制御運転を行うことにより、所望の時間経過後に優先制御運転から通常運転への切り換えをスムーズに行うことができる。
（５）
本実施形態の空気調和機１０では、図１１に示すように、制御部８０が手動入力部８３と接続されている。そして、手動入力部８３がユーザからの入力を受け付けた場合には、制御部８０が優先制御運転を通常運転へと切り換える。
【０１０６】
これにより、タイマ８２に設定された時間や温湿度の設定値にかかわらず、ユーザ所望のタイミングで優先制御運転を通常運転に切り換えることが可能になる。
（６）
本実施形態の空気調和機１０では、優先制御運転中に温度センサ４等で室内環境の変化を検知した場合には、制御部８０がもう一方の優先制御運転に切り換える。
【０１０７】
例えば、潜熱処理を優先させる優先制御運転を行っている間に、温度センサ４が室内空間における気温の上昇（顕熱負荷の増加）を検知した場合には、潜熱処理が所望の状態まで進んでいなくても、顕熱処理を優先させる優先制御運転に切り換えることができる。
これにより、優先制御運転中における環境の変化に対応してより柔軟な制御を行うことができる。
【０１０８】
（７）
本実施形態の空気調和機１０では、図１１に示すように、記憶部８１に接続されており、記憶部８１に記憶されている初期設定に応じて、起動時から通常運転を開始する前に、所定の優先制御運転を行う。
これにより、環境等の変化に応じて、例えば季節ごとに初期設定を変更することで、起動時毎に室内空間における温湿度等を測定して優先制御運転の内容を決定することなく、すぐに初期設定で決定された優先制御運転を開始することができる。
【０１０９】
（８）
本実施形態の空気調和機１０は、図１、図５等に示すように、２つの熱交換器（第１熱交換器３、第２熱交換器５）と、各熱交換器３，５の表面に担持された吸着剤とを備えている。また、制御部８０は、図１１に示すように、空気流路切換機構９１、冷媒の流路を切り換える四路切換弁９と接続されている。そして、制御部８０は、上記空気流路切換機構９１等を所定のバッチ切換時間経過毎に切り換えて、第１熱交換器３を凝縮器として機能させて吸着剤から水分を脱離させるとともに、第２熱交換器５を蒸発器として機能させて吸着剤に水分を吸着させる第１の状態と、第１熱交換器３を蒸発器として機能させて吸着剤に水分を吸着させるとともに、第２熱交換器５を凝縮器として機能させて吸着剤から水分を脱離させる第２の状態とを切り換える（図６（ａ）、図６（ｂ）および図７〜図１０参照）。
【０１１０】
これにより、所定のバッチ切換時間の経過毎に複数の熱交換器を交互に蒸発器、凝縮器として用いて、いわゆるバッチ式制御を行うことができる。
（９）
本実施形態の空気調和機１０は、上述したバッチ式制御を行う空気調和機であって、顕熱処理を優先させる優先制御運転を行う場合には、バッチ切換時間を通常運転時よりも長く設定する。
【０１１１】
これにより、バッチ切換時間の延長により、各熱交換器３，５が十分に温度上昇、下降するまで凝縮器あるいは蒸発器として機能させることができるため、顕熱処理を優先させた優先制御運転を行うことができる。
これにより、顕熱処理能力を向上させることができるため、顕熱処理を優先させた優先制御運転を行うことができる。
【０１１２】
なお、上述した循環モードでの運転を行っている際に顕熱処理を優先させる優先制御運転を行う場合でも、ここで説明した条件と同様の条件によって顕熱処理を優先させる優先制御運転を行うことができる。
（１０）
本実施形態の空気調和機１０は、上述したバッチ式制御を行う空気調和機であって、潜熱処理を優先させる優先制御運転を行う場合には、バッチ切換時間を通常運転時より短く設定する。
【０１１３】
これにより、各熱交換器３，５の温度が十分に上昇、下降する前に切り換えが行われることになるため、吸着剤を常に比較的乾燥した状態で維持することができる。よって、顕熱処理よりも潜熱処理を優先させた優先制御運転を実施することができる。
なお、顕熱処理を優先させる優先制御運転と同様に、循環モード運転中においても、上記と同様の条件により潜熱処理を優先させる優先制御運転を行うことができる。
【０１１４】
（１１）
本実施形態の空気調和機１０は、図１１に示すように、制御部８０が空気流路切換機構９１と接続されており、上述したバッチ式制御運転において、室内空間から取り込んだ空気に対して顕熱負荷の処理あるいは潜熱負荷の処理を行って、処理された空気を室内空間へ排出して循環させる一方、室外から取り込んだ空気に対して顕熱負荷あるいは潜熱負荷を供給して室外へ放出する循環運転を行う。そして、このような循環運転を行う場合において、顕熱処理を優先させる場合には、制御部８０が空気流路切換機構９１の動作を制御して、室外から取り込んだ空気の循環量を増加させる。
【０１１５】
これにより、顕熱処理を行う側の熱交換器３，５において風量を増やして、顕熱処理の効率を上昇させることができるため、顕熱処理を優先させる優先制御運転を行うことができる。
なお、上記循環運転においても、バッチ切換時間の延長、冷媒の凝縮温度を高く設定する等の方法で顕熱処理を優先させる運転を行ってもよい。
【０１１６】
（１２）
本実施形態の空気調和機の制御方法は、図１２および図１３に示すフローチャートに従って、起動時における優先制御運転を行う。すなわち、起動時のおける室内空間の温湿度を測定して顕熱処理あるいは潜熱処理いずれの優先制御運転を行うかを決定する。あるいは、起動時において、初期設定によって決められた内容に基づいて、優先制御運転を行う。
【０１１７】
これにより、起動時における空間環境や季節の変化等に応じて、最適な処理を優先させた運転を行うことができるため、起動時から室内空間を効率よく快適な環境にすることができる。
［他の実施形態］
以上、本発明の一実施形態について説明したが、本発明は実施形態に限定されるものではなく、発明の要旨を逸脱しない範囲で種々の変更が可能である。
【０１１８】
（Ａ）
実施形態では、空気調和機１０がデシカント式外調機である例を挙げて説明した。しかし、本発明はこれに限定されるものではない。
例えば、図１４（ａ）および図１４（ｂ）に示すように、顕熱処理用の熱交換器６ａを備えた冷媒回路１００を構成する空気調和機であってもよい。この様な構成であっても、熱交換器６ａの存在にかかわらず、第１熱交換器３と第２熱交換器５とにおいて顕熱処理あるいは潜熱処理を優先的に処理する優先制御運転を行うことができる。
【０１１９】
ここで、図１４（ａ）および図１４（ｂ）等に示す冷媒回路１００を備えた空気調和機について説明する。
冷媒回路１００は、圧縮機９７と膨張弁９８と四路切換弁９９とを１つずつ備えている。また、冷媒回路１００には、室外熱交換器６ｂと室内熱交換器６ａと熱交換器３，５とが設けられている。この冷媒回路１００では、室外熱交換器６ｂが熱源側熱交換器を、室内熱交換器６ａおよび熱交換器３，５が利用側熱交換器をそれぞれ構成している。
【０１２０】
また、冷媒回路１００には、電磁弁９６とキャピラリーチューブ９５とが設けられている。電磁弁９６は、熱交換器３，５と室内熱交換器６ａの間に設けられている。キャピラリーチューブ９５は、その一端が電磁弁９６と熱交換器３，５との間に、その他端が電磁弁９６と室内熱交換器６ａの間にそれぞれ接続されている。
この冷媒回路１００を備えた空気調和装置では、除湿冷房運転と加湿暖房運転とが行われる。
【０１２１】
例えば、除湿冷房運転中には、四路切換弁９９が第１状態に設定され、室外熱交換器６ｂが凝縮器となって室内熱交換器６ａが蒸発器となる。また、熱交換器３，５が蒸発器となる吸着動作と、熱交換器３，５が凝縮器となる再生動作とが交互に繰り返される。さらに、除湿冷房運転中には、室外熱交換器６ｂへ室外空気が供給され、室内熱交換器６ａおよび熱交換器３，５へ室内空気が供給される。そして、室内熱交換器６ａで冷却された空気が室内へ連続的に供給される一方、熱交換器３，５で除湿された空気が室内へ間欠的に供給される。
【０１２２】
吸着動作中は、図１４(ａ)に示すように、電磁弁９６が開放され、膨張弁９８の開度が適宜調節される。この状態で、圧縮機９７から吐出された冷媒は、室外熱交換器６ｂで凝縮した後に膨張弁９８で減圧され、その後、熱交換器３，５と室内熱交換器６ａを順に通過する間に蒸発し、圧縮機９７へ吸入されて圧縮される。
この吸着動作中において、室外熱交換器６ｂで冷媒から吸熱した室外空気が室外へ排出され、室内熱交換器６ａで冷却された室内空気が室内へ送り返される。また、熱交換器３，５では、室内空気中の水分が吸着材に吸着されて室内空気が除湿され、その際に生じた吸着熱が冷媒に吸熱される。熱交換器３，５で除湿された室内空気は、室内へ送り返される。
【０１２３】
再生動作中は、図１４（ｂ）に示すように、電磁弁９６が閉鎖され、膨張弁９８が全開に設定される。この状態で、圧縮機９７から吐出された冷媒は、室外熱交換器６ｂと熱交換器３，５を順に通過する間に凝縮し、その後、キャピラリーチューブ９５で減圧されてから室内熱交換器６ａで蒸発し、圧縮機９７へ吸入されて圧縮される。
この再生動作中において、室外熱交換器６ｂで冷媒から吸熱した室外空気が室外へ排出され、室内熱交換器６ａで冷却された室内空気が室内へ送り返される。また、熱交換器３，５では、冷媒によって吸着材が加熱されて再生され、吸着材から脱離した水分が室内空気に付与される。熱交換器３，５から脱離した水分は、室内空気とともに室外へ排出される。
【０１２４】
なお、暖房加湿運転については、上述した冷房除湿運転とほぼ同じであるため、説明を省略する。
（Ｂ）
上記実施形態では、空気調和機１０が２つの熱交換器（第１熱交換器３、第２熱交換器）を備えており、バッチ式制御を行う例を挙げて説明した。しかし、本発明はこれに限定されるものではない。
【０１２５】
例えば、単一の熱交換器を用いて吸着剤を担持した調湿ユニットを回転させる等の方法により吸着動作と再生動作とを行うフロー式の空気調和機であってもよい（特開２００１−２０８３７４号公報参照）。このようなフロー式空気調和機であっても、上記実施形態のような起動時における優先制御運転を行うことができる。
さらに、本発明の空気調和機は、換気機能を備えた上記実施形態のデシカント式外調機に対して、換気機能を備えていないデシカント式調湿機であってもよい。
【０１２６】
（Ｃ）
上記実施形態では、空気調和機１０が、２つの熱交換器（第１熱交換器３、第２熱交換器５）を備えている例を挙げて説明した。しかし、本発明はこれに限定されるものではない。
例えば、３つ以上の熱交換器を備えており、所定の数の熱交換器が吸着動作、その他の熱交換器が再生動作を行う第１の状態と、上記所定の数の熱交換器が再生動作、その他の熱交換器が吸着動作を行う第２の状態とを切り換えるようにバッチ式制御が行われる空気調和機１０であってもよい。
【０１２７】
（Ｄ）
上記実施形態では、吸着剤が第１熱交換器３、第２熱交換器５の表面に担持されている例を挙げて説明した。しかし、本発明はこれに限定されるものではない。
例えば、図１５に示すように、第１熱交換器３および第２熱交換器５の近傍に、吸着剤を備えた調湿エレメント１０２，１０３を配置して、第１熱交換器３および第２熱交換器５を通過する前あるいは後の空気を、調湿エレメント１０２，１０３を通過させる構成を備えた空気調和機１０１であってもよい。このような構成であっても、各熱交換器３，５の蒸発熱および凝縮熱が伝達されることで、空気調和機１０１は、吸着剤における吸着動作および再生動作を行うことができる。なお、図１５に示す回路では、加湿運転における冷媒、空気の流れの向きが表されている。
【０１２８】
（Ｅ）
上記実施形態では、第１熱交換器３および第２熱交換器５がクロスフィン式のフィン・アンド・チューブ型熱交換器である例を挙げて説明した。しかし、本発明はこれに限定されるものではない。
例えば、コルゲートフィン式の熱交換器等の他の形式の熱交換器であってもよい。
【０１２９】
（Ｆ）
上記実施形態では、吸着剤を、ディップ成形によって各フィン１３および伝熱管１５の外表面に担持している例を挙げて説明した。しかし、本発明はこれに限定されるものではない。
例えば、吸着剤としての性能を損なわない限り、他のいかなる方法でその外表面に吸着剤を担持してもよい。
【０１３０】
（Ｇ）
上記実施形態では、室内空間における温度を測定する温度センサ４と、湿度を測定する湿度センサ３ｂ，５ｂとを備えている例を挙げて説明した。しかし、本発明はこれに限定されるものではない。
例えば、温度センサ４、湿度センサ３ｂ，５ｂのうち、いずれか一方を備えている構成であってもよい。ただし、この場合には、温度と湿度の両面から優先制御運転を決定することができないため、起動時における室内空間の環境に応じて正確な制御を行いたい場合には、上記実施形態のように室内空間における気温を測定する温度センサ４と、湿度を測定する湿度センサ３ｂ，５ｂとを備えていることがより好ましい。
【０１３１】
なお、湿度センサ３ｂ，５ｂおよび温度センサ４は、２つずつ設けられているが、各１つずつであってもよい。
【産業上の利用可能性】
【０１３２】
本発明の空気調和機は、優先制御運転により、効率よく室内空間を快適な環境にすることができるという効果を奏することから、顕熱負荷と潜熱負荷との双方を処理する機能を備えたデシカント式の調湿機や外調機等の空気調和機に広く適用可能である。
【図面の簡単な説明】
【０１３３】
【図１】本発明の一実施形態に係る空気調和機の構成を示す平面図。
【図２】図１のI−I線におけるケーシング内部の構成を示す矢視断面図。
【図３】図１のII−II線におけるケーシング内部の構成を示す矢視断面図。
【図４】図１の空気調和機が備えている熱交換器を示す斜視図。
【図５】図１の空気調和機が備えている冷媒回路を示す回路図。
【図６】（ａ），（ｂ）は、図１の空気調和機が備えている冷媒回路の制御状態を示す回路図。
【図７】図１の空気調和機における空気の流れを示す平面図。
【図８】図１の空気調和機における空気の流れを示す平面図。
【図９】図１の空気調和機における空気の流れを示す平面図。
【図１０】図１の空気調和機における空気の流れを示す平面図。
【図１１】図１の空気調和機が備えている制御部に接続された構成を示すブロック図。
【図１２】図１の空気調和機における優先制御運転の一例を示すフローチャート。
【図１３】図１の空気調和機における優先制御運転の他の例を示すフローチャート。
【図１４】本発明の他の実施形態に係る空気調和機の構成を示す冷媒回路図。
【図１５】本発明のさらに他の実施形態に係る空気調和機の構成を示す冷媒回路図。
【符号の説明】
【０１３４】
１              冷媒回路
３              第１熱交換器
３ａ，５ａ      サーミスタ
３ｂ，５ｂ      湿度センサ（検知部）
４              温度センサ（検知部）
５              第２熱交換器
６              第３熱交換器
７              圧縮機
９              四路切換弁
１０            空気調和機
１１            膨張弁
１３            フィン
１５            伝熱管
１７            ケーシング
１９            第１吸込口
２１            第２吸込口
２３            第１吹出口
２５            第２吹出口
２７            仕切板
２９ａ          空気室
２９ｂ          機器室
３１ａ〜３１ｂ  第１〜第４の開口
３５〜３８      第５〜第８ダンパ
４７〜５０      第１〜第４ダンパ
５７            第２流入路
５９            第２流出路
６３            第１流入路
６５            第１流出路
６９            第１熱交換室
７３            第２熱交換室
７７，７９      送風ファン
８０            制御部
８１            記憶部
８２            タイマ（時限部）
８３            手動入力部
９１            空気流路切換機構
９５            キャピラリーチューブ
９６            電磁弁
９７            圧縮機
９８            膨張弁
９９            四路切換弁
１００          冷媒回路
１０１          空気調和機
１０２，１０３  調湿エレメント
【図１】
0003712000.tif 000002
【図２】
0003712000.tif 000003
【図３】
0003712000.tif 000004
【図４】
0003712000.tif 000005
【図５】
0003712000.tif 000006
【図６】
0003712000.tif 000007
【図７】
0003712000.tif 000008
【図８】
0003712000.tif 000009
【図９】
0003712000.tif 000010
【図１０】
0003712000.tif 000011
【図１１】
0003712000.tif 000012
【図１２】
0003712000.tif 000013
【図１３】
0003712000.tif 000014
【図１４】
0003712000.tif 000015
【図１５】
0003712000.tif 000016